(57)【要約】【課題】  時計ガラスの外周面と腕時計ケースの内周面とに密着させて防水性および気密性を高めることができるようにする。【解決手段】  ガラスパッキン３は、腕時計ケース１の内周面１ａに接触する外周パッキン部７と、時計ガラス２の外周面２ａに接触する内周パッキン部８とを備え、これらを異なる材料で２色成形した構成になっている。従って、外周パッキン部７の素材として腕時計ケース１の内周面１ａに対する密着性の最も適した材料を使用することができると共に、内周パッキン部８の素材として時計ガラス２の外周面２ａに対する密着性の最も適した材料を使用することができる。このため、時計ガラス２の外周面２ａと腕時計ケース１の内周面１ａとに確実に且つ良好に密着させることができ、これにより防水性および気密性の高いものを得ることができる。【選択図】        図２
2006284236.tif 000002
【特許請求の範囲】
【請求項１】
機器ケースと保護ガラスとの間に配置されるガラスパッキンにおいて、
前記機器ケースの内周面に接触する外周パッキン部と、前記保護ガラスの外周面に接触する内周パッキン部とを、異なる材料で２色成形したことを特徴とするガラスパッキン。
【請求項２】
前記外周パッキン部は前記内周パッキン部よりも軟らかい材料で形成されていることを特徴とする請求項１に記載のガラスパッキン。
【請求項３】
前記外周パッキン部は前記内周パッキン部よりも硬い材料で形成されていることを特徴とする請求項１に記載のガラスパッキン。
【請求項４】
前記保護ガラスはその上面が上方に向けて凸曲面となる形状に形成され、前記外周パッキン部の上部は前記保護ガラスの外周面の高さ形状に応じて高く形成されていることを特徴とする請求項１〜３のいずれかに記載のガラスパッキン。
【請求項５】
前記保護ガラスは、その上面がほぼ蒲鉾形状に形成されていることを特徴とする請求項４に記載のガラスパッキン。
【請求項６】
前記保護ガラスは、外形が四角形などの多角形の板状に形成されていると共に、その上面がほぼ球面形状に形成されていることを特徴とする請求項４に記載のガラスパッキン。
【請求項７】
前記外周パッキン部は前記内周パッキン部よりも硬い材料で形成され、この外周パッキン部には前記機器ケースに対する位置決め部が形成されていることを特徴とする請求項１〜６のいずれかに記載のガラスパッキン。
【請求項８】
前記保護ガラスは、外形が円形の板状に形成されていると共に、その上面がほぼ蒲鉾形状に形成されていることを特徴とする請求項７に記載のガラスパッキン。
【発明の詳細な説明】
【技術分野】
【０００１】
この発明は、腕時計などの時計や携帯電話機、ＰＤＡ（パーソナル・デジタル・アシスタント）などの電子機器に用いられるガラスパッキンに関する。
【背景技術】
【０００２】
従来、腕時計においては、腕時計ケースの内周面と時計ガラスの外周面との間に防水パッキンを配置し、この防水パッキンによって腕時計ケースと時計ガラスとの間の防水性を図っている。
このような腕時計の防水パッキンには、特許文献１に記載されているように、パッキン本体に着色層を２色成形によって一体に形成し、この着色層を外部に露出させてデザイン性の向上をも図るようにしたものがある。
【特許文献１】実開昭６１−１７６４８４号
【０００３】
すなわち、この種の防水パッキンは、時計ガラスの外周面と腕時計ケースの内周面との間に配置されて防水性を図るための黒色パッキンからなるパッキン本体と、合成樹脂に顔料、染料などを混入させて着色したカラーパッキンからなる着色層とを備え、パッキン本体の上部に着色層を２色成形によって一体に形成した構成になっている。
【発明の開示】
【発明が解決しようとする課題】
【０００４】
しかしながら、このような従来の防水パッキンでは、パッキン本体のみが時計ガラスの外周面と腕時計ケースの内周面との間に圧接して防水性および気密性を図るように構成されているが、着色層が防水性および気密性にほとんど寄与していないため、十分な防水性および気密性を図ることができない。
【０００５】
すなわち、この防水パッキンでは、時計ガラスの外周面と腕時計ケースの内周面とにパッキン本体が圧接する際、時計ガラスと腕時計ケースとの材質が異なるため、時計ガラスに対するパッキン本体の密着性と、腕時計ケースに対するパッキン本体の密着性とに差が生じ、このため十分な防水性および気密性を図ることができない。
【０００６】
この発明が解決しようとする課題は、腕時計ケースなどの機器ケースの内周面と時計ガラスなどの保護ガラスの外周面とに確実に且つ良好に密着して、防水性および気密性を高めることができるガラスパッキンを提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図１５に示すように、機器ケース（腕時計ケース１、２４）と保護ガラス（時計ガラス２、１０、１５、２０）との間に配置されるガラスパッキンにおいて、前記機器ケースの内周面（１ａ、２４ａ）に接触する外周パッキン部（７、１２、１７、２２）と、前記保護ガラスの外周面（２ａ、１０ａ、１０ｂ、１５ａ、１５ｂ、２０ａ、２０ｂ）に接触する内周パッキン部（８）とを、異なる材料で２色成形したことを特徴とするガラスパッキン（３、１１、１６、２１）である。
【０００９】
請求項２に記載の発明は、図１〜図１０に示すように、前記外周パッキン部（７、１２、１７）が前記内周パッキン部（８）よりも軟らかい材料で形成されていることを特徴とする請求項１に記載のガラスパッキン（３、１１、１６）である。
【００１０】
請求項３に記載の発明は、図１１〜図１５に示すように、前記外周パッキン部（２２）が前記内周パッキン部（８）よりも硬い材料で形成されていることを特徴とする請求項１に記載のガラスパッキン（２１）である。
【００１１】
請求項４に記載の発明は、図４〜図１０に示すように、前記保護ガラス（時計ガラス１０、１５）がその上面を上方に向けて凸曲面となる形状に形成され、前記外周パッキン部（１２、１７）の上部が前記保護ガラスの外周面（１０ａ、１０ｂ、１５ａ、１５ｂ）の高さ形状に応じて高く形成されていることを特徴とする請求項１〜３のいずれかに記載のガラスパッキン（１１、１６）である。
【００１２】
請求項５に記載の発明は、図４〜図８に示すように、前記保護ガラス（時計ガラス１０）の上面がほぼ蒲鉾形状に形成されていることを特徴とする請求項４に記載のガラスパッキン（１１）である。
【００１３】
請求項６に記載の発明は、図９および図１０に示すように、前記保護ガラス（時計ガラス１５）の外形が四角形などの多角形の板状に形成されていると共に、その上面がほぼ球面形状に形成されていることを特徴とする請求項４に記載のガラスパッキン（１６）である。
【００１４】
請求項７に記載の発明は、図１１〜図１５に示すように、前記外周パッキン部（２２）が前記内周パッキン部（８）よりも硬い材料で形成され、この外周パッキン部には前記機器ケース（腕時計ケース２４）に対する位置決め部（２３）が形成されていることを特徴とする請求項１〜６のいずれかに記載のガラスパッキン（２１）である。
【００１５】
請求項８に記載の発明は、図１１〜図１５に示すように、前記保護ガラス（時計ガラス２０）の外形が円形の板状に形成されていると共に、その上面がほぼ蒲鉾形状に形成されていることを特徴とする請求項７に記載のガラスパッキン（２１）である。
【発明の効果】
【００１６】
請求項１に記載の発明によれば、機器ケースの内周面に接触する外周パッキン部と、保護ガラスの外周面に接触する内周パッキン部とを、異なる材料で２色成形したので、外周パッキン部の素材として機器ケースの内周面に対する密着性の最も適した材料を使用することができると共に、内周パッキン部の素材として保護ガラスの外周面に対する密着性の最も適した材料を使用することができ、これにより保護ガラスの外周面と機器ケースの内周面とに確実に且つ良好に密着させることができるので、防水性および気密性の高いものを得ることができる。
【００１７】
請求項２に記載の発明によれば、外周パッキン部が内周パッキン部よりも軟らかい材料で形成されていることにより、例えば機器ケースが保護ガラスよりも硬い金属で形成されている場合、機器ケースの内周面が保護ガラスの外周面よりも粗くても、外周パッキン部が軟らかい材料であるから、機器ケースの内周面にその凹凸に追従させて外周パッキン部を密着させることができると共に、外周パッキン部よりも硬い材料からなる内周パッキン部を保護ガラスの外周面に密着させることができ、これにより防水性および気密性を高めることができる。
【００１８】
請求項３に記載の発明によれば、外周パッキン部が内周パッキン部よりも硬い材料で形成されていることにより、例えば機器ケースが保護ガラスよりも軟らかい合成樹脂で形成されている場合、機器ケースの内周面に硬い材料からなる外周パッキン部を密着させることができると共に、外周パッキン部よりも軟らかい材料からなる内周パッキン部を保護ガラスの外周面に密着させることができ、これにより防水性および気密性を高めることができる。
【００１９】
請求項４に記載の発明によれば、保護ガラスがその上面を上方に向けて凸曲面となる形状に形成され、外周パッキン部の上部が保護ガラスの外周面の高さ形状に応じて高く形成されていることにより、保護ガラスの上面の凸曲面形状によって保護ガラスの外周面の高さが一定にならず、凸曲面に応じて保護ガラスの外周面の高さが部分的に異なるが、外周パッキン部の上部が保護ガラスの外周面の高さ形状に応じて高く形成されているので、外周パッキン部の上部を保護ガラスの外周面と同じ高さに揃えることができると共に、機器ケースと保護ガラスとの間に外周パッキン部の上部を良好に埋め込むことができる。
【００２０】
請求項５に記載の発明によれば、保護ガラスの上面がほぼ蒲鉾形状に形成されていることにより、保護ガラスの外周面の高さが一定にならず、保護ガラスの外周面における各対向部分のうち、ほぼ蒲鉾形状の円弧に沿う方向の両側に位置する対向部分が均一な高さをなすが、これと直交する対向部分が円弧面状をなすため、この対向部分が中間部から両端部に向けて次第に高さが低くなる円弧面状に形成されていても、外周パッキン部の上部が保護ガラスの外周面の形状に応じて円弧状に高く形成されているので、外周パッキン部の上部を保護ガラスの外周面と同じ高さに揃えることができると共に、機器ケースと保護ガラスとの間に外周パッキン部の上部を良好に埋め込むことができる。
【００２１】
請求項６に記載の発明によれば、保護ガラスの外形が四角形などの多角形の板状に形成されていると共に、その上面がほぼ球面形状に形成されていることにより、保護ガラスの中心部から遠い部分の外周面の高さが低く、保護ガラスの中心部に近い部分の外周面の高さが高くなる円弧状をなすが、外周パッキン部の上部が保護ガラスの外周面の形状に応じて円弧状に高く形成されているので、外周パッキン部の上部を保護ガラスの外周面と同じ高さ揃えることができると共に、機器ケースと保護ガラスとの間に外周パッキン部の上部を良好に埋め込むことができる。
【００２２】
請求項７に記載の発明によれば、外周パッキン部が内周パッキン部よりも硬い材料で形成され、この外周パッキン部に時計ケースに対する位置決め部が形成されていることにより、外周パッキン部を機器ケースに配置するときに、外周パッキン部を位置決め部によって機器ケースに対し位置決めすることができると共に、外周パッキン部が硬い材料で形成されていることにより、外周パッキン部の位置決め部が変形しにくいため、外周パッキン部を位置決め部によって機器ケースに対し確実に且つ正確に位置決めすることができる。
【００２３】
請求項８に記載の発明によれば、保護ガラスの外形が円形の板状に形成されていると共に、その上面がほぼ蒲鉾形状に形成されていることにより、外周パッキン部が円形のリング状に形成されるが、この外周パッキン部を機器ケースの所定位置に確実に位置決めして配置することができる。この場合、特に保護ガラスの上面がほぼ蒲鉾形状に形成され、外周パッキン部の上部が保護ガラスの外周面の高さ形状に応じた高さで形成されていても、外周パッキン部を位置決め部によって機器ケースに対する所定位置に位置決めすることができるので、外周パッキン部の上部を保護ガラスの外周面に対応させた状態で、機器ケースに正確に組み込むことができる。
【発明を実施するための最良の形態】
【００２４】
（実施形態１）
以下、図１〜図３を参照して、この発明のガラスパッキンを腕時計に適用した実施形態１について説明する。
図１はこの発明を適用した腕時計の一部を破断して示した側面図、図２はその要部を示した拡大断面図、図３は図２のガラスパッキンの要部を示した拡大断面図である。
この腕時計は、図１に示すように、腕時計ケース１を備えている。この腕時計ケース１の上部には、時計ガラス２がガラスパッキン３を介して取り付けられており、この腕時計ケース１の内部には、時計モジュール４が配置されている。また、この腕時計ケース１の下部には、裏蓋５が防水リング５ａを介してビス６によって取り付けられている。
【００２５】
この場合、腕時計ケース１は時計ガラス２よりも硬い金属で形成されている。時計ガラス２は全体がほぼ平板状に形成されている。また、ガラスパッキン３は、図１および図２に示すように、腕時計ケース１の内周面１ａと時計ガラス２の外周面２ａとの間に配置されるほぼ枠状のものであり、腕時計ケース１の内周面１ａに接触する外周パッキン部７と、時計ガラス２の外周面２ａに接触する内周パッキン部８とを備え、図３に示すように、これらを異なる材料で２色成形によって一体に形成した構成になっている。
【００２６】
すなわち、外周パッキン部７は、腕時計ケース１が時計ガラス２よりも硬い金属で形成されていることにより、内周パッキン部８よりも軟らかい材料、例えばゴムなどの合成樹脂からなり、全体がほぼ枠状に形成されていると共に、図３に示すように、外周面の下部に切欠け部７ａが形成された構成になっている。また、内周パッキン部８は、外周パッキン部７よりも硬いゴムなどの合成樹脂からなり、図３に示すように、外周パッキン部７の内面に一体に形成されていると共に、その内周面の中間部に内側へ向けて突出する突出部８ａが形成され、この突出部８ａが図２に示すように時計ガラス２の外周面２ａに圧接して圧縮変形するように構成されている。
【００２７】
このようなガラスパッキン３によれば、腕時計ケース１の内周面１ａに接触する外周パッキン部７と、時計ガラス２の外周面２ａに接触する内周パッキン部８とを、異なる材料で２色成形により一体に形成したので、外周パッキン部７の素材として腕時計ケース１の内周面１ａに対する密着性が最も適した材料を使用することができると共に、内周パッキン部８の素材として時計ガラス２の外周面２ａに対する密着性が最も適した材料を使用することができる。このため、時計ガラス２の外周面２ａと腕時計ケース１の内周面１ａとにガラスパッキン３を確実に且つ良好に密着させることができ、これにより防水性および気密性の高いものを得ることができる。
【００２８】
この場合、外周パッキン部７が内周パッキン部８よりも軟らかい材料で形成されていることにより、腕時計ケース１が時計ガラス２よりも硬い金属で形成され、腕時計ケース１の内周面１ａが時計ガラス２の外周面２ａよりも粗くても、外周パッキン部７が軟らかい材料であるから、腕時計ケース１の内周面１ａの凹凸に追従させて、その内周面１ａに外周パッキン部７を密着させることができると共に、外周パッキン部７よりも硬い材料からなる内周パッキン部８を時計ガラス２の外周面２ａに密着させることができ、これにより時計ガラス２の外周面２ａと腕時計ケース１の内周面１ａとの間の防水性および気密性を確実に高めることができる。
【００２９】
特に、このガラスパッキン３では、図３に示すように、内周パッキン部８の内周面に突出部８ａが形成されているので、図２に示すように、時計ガラス２の外周面２ａと腕時計ケース１の内周面１ａとの間に圧入するときに、時計ガラス２の外周面２ａに内周パッキン部８の突出部８ａを圧接させて圧縮変形させることができ、これにより内周パッキン部８を時計ガラス２の外周面２ａに確実に密着させることができるので、時計ガラス２の外周面２ａと腕時計ケース１の内周面１ａとの間の防水性および気密性を更に高めることができる。
【００３０】
なお、上記実施形態１では、外周パッキン部７を内周パッキン部８よりも軟らかい材料で形成した場合について述べたが、これに限らず、例えば腕時計ケース１が時計ガラス２よりも軟らかい合成樹脂で形成されている場合には、外周パッキン部を内周パッキン部８よりも硬い材料で形成しても良い。このように構成すれば、時計ガラス２よりも軟らかい合成樹脂からなる腕時計ケースの内周面に硬い材料からなる外周パッキン部を密着させることができると共に、外周パッキン部よりも軟らかい材料からなる内周パッキン部８を時計ガラス２の外周面２ａに密着させることができ、これにより防水性および気密性の高いものを得ることができる。
【００３１】
（実施形態２）
次に、図４〜図８を参照して、この発明のガラスパッキンを腕時計に適用した実施形態２について説明する。なお、図１〜図３に示された実施形態１と同一部分には同一符号を付して説明する。
この腕時計は、時計ガラス１０の形状が実施形態１と異なり、これに伴ってガラスパッキン１１の外周パッキン部１２が図７および図８に示すように上部を異なる高さに形成した構成で、これ以外は実施形態１とほぼ同じ構成になっている。
【００３２】
この場合、時計ガラス１０は、図４および図５に示すように、ほぼ長方形の板状に形成され、その上面が上方に向けて凸曲面となる形状、つまり蒲鉾形状に形成されている。このため、時計ガラス１０の外周面１０ａ、１０ｂは、上面の蒲鉾形状の凸曲面に応じて形状が異なっている。すなわち、時計ガラス１０の外周面１０ａ、１０ｂのうち、１２時側と６時側との各短辺部分（図５（ａ）では上下に位置する各辺部）の外周面１０ａは、図５（ｃ）に示すように、ほぼ均一な高さで形成されており、３時側と９時側との各長辺部分（図５（ａ）では左右に位置する各辺部）の外周面１０ｂは、図５（ｂ）に示すように、その中間部から両端部に向かうに従って次第に高さが低くなる円弧状に形成されている。
【００３３】
これに伴って、ガラスパッキン１１の外周パッキン部１２は、図６（ａ）〜図６（ｃ）に示すように、その上部の高さが時計ガラス１０の外周面１０ａ、１０ｂの高さに応じた形状に形成されている。すなわち、この外周パッキン部１２は、時計ガラス１０の短辺部分の外周面１０ａに対応する部分が図６（ｃ）に示すようにほぼ均一な高さで形成され、時計ガラス１０の長辺部分の外周面１０ｂに対応する部分が図６（ｂ）に示すように中間部から両端部に向かうに従って次第に高さが低くなる円弧状に形成されている。なお、内周パッキン部８は、図７および図８に示すように、実施形態１と同じ形状で、外周パッキン部１２の内周面に２色成形によって一体に形成されている。
【００３４】
このようなガラスパッキン１１によれば、図７および図８に示すように、外周パッキン部１２と内周パッキン部８とが２色成形によって一体に形成されているので、実施形態１と同様の作用効果があるほか、特に時計ガラス１０が図５（ａ）〜図５（ｃ）に示すようにその上面を上方に向けて凸曲面となる蒲鉾形状に形成され、外周パッキン部１２の上部が図６（ａ）〜図６（ｃ）に示すように時計ガラス１０の外周面１０ａ、１０ｂの高さ形状に応じて高く形成されているので、外周パッキン部１２を時計ガラス１０の外周面１０ａ、１０ｂに確実に且つ良好に対応させることができる。
【００３５】
この場合、時計ガラス１０が長方形状に形成され、その上面が上方に向けて凸曲面となる蒲鉾形状に形成されているので、時計ガラス１０の外周面１０ａ、１０ｂの高さが全て一定にならず、時計ガラス１０の外周面１０ａ、１０ｂのうち、長辺部分に位置する外周面１０ｂの高さが中間部から両端部に向けて次第に低くなる円弧状をなすが、外周パッキン部１２の上部が時計ガラス１０の外周面１０ｂの形状に応じて円弧状に高く形成されていることにより、ガラスパッキン１１を腕時計ケース１と時計ガラス１０との間に圧入させたときに、外周パッキン部１２の上部を時計ガラス１０の外周面１０ａ、１０ｂと同じ高さに揃えることができ、これにより腕時計ケース１と時計ガラス２との間に外周パッキン部１２の上部を良好に埋め込むことができる。
【００３６】
なお、上記実施形態２では、時計ガラス１０の上面を蒲鉾形状に形成した場合について述べたが、これに限らず、例えば図９および図１０に示す変形例のように、時計ガラス１５の上面を上方に向けて凸曲面となるほぼ球面形状に形成しても良い。この場合には、時計ガラス１５の外形が図９（ａ）に示すように長方形状に形成され、その外周面１５ａ、１５ｂが、図９（ｂ）および図９（ｃ）に示すように、中間部から両端部に向けて次第に低くなる円弧状に形成されている。これに伴って、ガラスパッキン１６の外周パッキン部１７は、図１０（ａ）〜図１０（ｃ）に示すように、その上部が時計ガラス１５の外周面１５ａ、１５ｂの形状に応じて円弧状に高く形成されている。
【００３７】
このような変形例においても、時計ガラス１５の外形が長方形状に形成され、その上面が上方に向けて凸曲面となるほぼ球面形状に形成されていることにより、時計ガラス１５の外周面１５ａ、１５ｂの高さが全て一定にならず、時計ガラス１５の外周面１５ａ、１５ｂの高さが中間部から両端部に向けて次第に低くなる円弧状をなすが、外周パッキン部１７の上部が時計ガラス１５の外周面１５ａ、１５ｂの形状に応じて円弧状に高く形成されているので、ガラスパッキン１６を腕時計ケース１と時計ガラス１０との間に圧入させたときに、実施形態２と同様、外周パッキン部１７の上部を時計ガラス１５の外周面１５ａ、１５ｂと同じ高さに揃えることができ、これにより腕時計ケース１と時計ガラス２との間に外周パッキン部１７の上部を良好に埋め込むことができる。
【００３８】
（実施形態３）
次に、図１１〜図１５を参照して、この発明のガラスパッキンを腕時計に適用した実施形態３について説明する。この場合には、図４〜図８に示された実施形態２と同一部分に同一符号を付して説明する。
この腕時計は、時計ガラス２０を円形の板状に形成すると共に、これに伴ってガラスパッキン２１の外周パッキン部２２に位置決め部２３を形成し、この位置決め部２３によって外周パッキン部２２を腕時計ケース２４に対し位置決めするように構成し、これ以外は実施形態２とほぼ同じ構成になっている。
【００３９】
この場合、時計ガラス２０は、図１２（ａ）に示すように、その外形が円形の板状に形成され、その上面が上方に向けて凸曲面をなすほぼ蒲鉾形状に形成されている。これにより、時計ガラス２０は、実施形態２とほぼ同様、１２時側と６時側との外周面２０ａが図１２（ｃ）に示すようにほぼ均一な高に形成され、３時側と９時側との外周面２０ｂが図１２（ｂ）に示すように中間部から両端部に向かうに従って次第に低くなる円弧状に形成されている。これに伴って、腕時計ケース２４の内周面２４ａも円形状に形成されている。
【００４０】
一方、ガラスパッキン２１は、外周パッキン部２２が内周パッキン部８よりも硬い材料で形成され、図１３（ａ）に示すように、全体がほぼ円形のリング状に形成されている。この場合、外周パッキン部２２は、その上部の高さが時計ガラス２０の外周面２０ａ、２０ｂの高さに応じた形状に形成されている。すなわち、この外周パッキン部２２は、時計ガラス２０の１２時側と６時側との外周面２０ａに対応する部分が図１３（ｃ）に示すようにほぼ均一な高さで形成され、３時側と９時側との外周面２０ｂに対応する部分が図１３（ｃ）に示すように中間部から両端部に向かうに従って次第に高さが低くなる円弧状に形成されている。
【００４１】
また、この外周パッキン部２２は、図１４および図１５に示すように、下端部の所定箇所に位置決め部２３が形成され、この位置決め部２３が腕時計ケース２４に形成された位置決め凹部２５に嵌合することにより、腕時計ケース２４に対して位置決めされるように構成されている。この場合にも、ガラスパッキン２１の内周パッキン部８は、図１４および図１５に示すように、実施形態１と同じ形状で、外周パッキン部２２の内周面に２色成形によって一体に形成されている。
【００４２】
このようなガラスパッキン２１においても、外周パッキン部２２と内周パッキン部８とが２色成形によって一体に形成されていると共に、外周パッキン部２２の上部が時計ガラス２０の外周面２０ａ、２０ｂの高さに応じて高く形成されているので、実施形態２と同様の作用効果があるほか、特に内周パッキン部８よりも硬い材料で形成された外周パッキン部２２に、腕時計ケース２４に対する位置決め部２３が形成されていることにより、外周パッキン部２２を腕時計ケース２４に対して位置決めすることができる。
【００４３】
すなわち、外周パッキン部２２が内周パッキン部８よりも硬い材料で形成されているので、外周パッキン部２２の位置決め部２３によって外周パッキン部２２を腕時計ケース２４に対して位置決めするときに、外周パッキン部２２の位置決め部２３が変形しにくい。このため、外周パッキン部２２の位置決め部２３によって外周パッキン部２２を腕時計ケース２４に対して確実に且つ正確に位置決めすることができる。
【００４４】
この場合、時計ガラス２０が円形の板状に形成され、その上面が上方に向けて凸曲面をなすほぼ蒲鉾形状に形成されていても、実施形態２と同様、外周パッキン部２２を時計ガラス２０の外周面２０ａ、２０ｂに確実に且つ良好に対応させることができると共に、腕時計ケース２４の内周面２４ａが円形状に形成されていても、外周パッキン部２２を位置決め部２３によって腕時計ケース２４に対する所定位置に位置決めすることができるので、外周パッキン部２２の上部を時計ガラス２０の外周面２０ａ、２０ｂの高さに揃えた状態で、腕時計ケース２４と時計ガラス２０との間に外周パッキン部２２の上部を良好に埋め込むことができる。
【００４５】
なお、上記実施形態１〜３では、時計ガラス２、１０、１５、２０の外形が四角形や円形である場合について述べたが、これに限らず、例えば三角形、五角形、六角形などの多角形や楕円形などの形状であっても良い。
また、上記実施形態１〜３では、腕時計に適用した場合について述べたが、必ずしも腕時計である必要はなく、トラベルウオッチ、目覚まし時計、置き時計、掛け時計などの時計にも適用することができるほか、携帯電話機やＰＤＡ（パーソナル・デジタル・アシスタント）などの電子機器にも広く適用することができる。
【図面の簡単な説明】
【００４６】
【図１】この発明を適用した腕時計を一部破断して示した側面図である。（実施形態１）
【図２】図１の要部を示した拡大断面図である。
【図３】図２のガラスパッキンの要部を示した拡大断面図である。
【図４】この発明を適用した腕時計を一部破断して示した側面図である。（実施形態２）
【図５】図４の時計ガラスを示し、（ａ）はその時計ガラスの平面図、（ｂ）は（ａ）のＡ−Ａ矢視における断面図、（ｃ）は（ａ）のＢ−Ｂ矢視における断面図である。
【図６】図４のガラスパッキンを示し、（ａ）はその平面図、（ｂ）は（ａ）のＣ−Ｃ矢視における断面図、（ｃ）は（ａ）のＤ−Ｄ矢視における断面図である。
【図７】図４の要部を示した拡大断面図である。
【図８】図７のガラスパッキンの要部を示した拡大断面図である。
【図９】実施形態２の変形例を示し、（ａ）はその時計ガラスの平面図、（ｂ）は（ａ）のＥ−Ｅ矢視における断面図、（ｃ）は（ａ）のＦ−Ｆ矢視における断面図である。
【図１０】図９の時計ガラスの外周面に配置されるガラスパッキンを示し、（ａ）はその平面図、（ｂ）は（ａ）のＧ−Ｇ矢視における断面図、（ｃ）は（ａ）のＨ−Ｈ矢視における断面図である。
【図１１】この発明を適用した腕時計を一部破断して示した側面図である。（実施形態３）
【図１２】図１１の時計ガラスを示し、（ａ）はその時計ガラスの平面図、（ｂ）は（ａ）のＩ−Ｉ矢視における断面図、（ｃ）は（ａ）のＪ−Ｊ矢視における断面図である。
【図１３】図１１のガラスパッキンを示し、（ａ）はその平面図、（ｂ）は（ａ）のＫ−Ｋ矢視における断面図、（ｃ）は（ａ）のＬ−Ｌ矢視における断面図である。
【図１４】図１１の要部を示した拡大断面図である。
【図１５】図１４のガラスパッキンの要部を示した拡大断面図である。
【符号の説明】
【００４７】
１、２４  腕時計ケース
１ａ、２４ａ  内周面
２、１０、１５、２０  時計ガラス
２ａ、１０ａ、１０ｂ、１５ａ、１５ｂ、２０ａ、２０ｂ  外周面
３、１１、１６、２１  ガラスパッキン
７、１２、１７、２２  外周パッキン部
８  内周パッキン部
２３  位置決め部
２５  位置決め凹部
【図１】
2006284236.tif 000003
【図２】
2006284236.tif 000004
【図３】
2006284236.tif 000005
【図４】
2006284236.tif 000006
【図５】
2006284236.tif 000007
【図６】
2006284236.tif 000008
【図７】
2006284236.tif 000009
【図８】
2006284236.tif 000010
【図９】
2006284236.tif 000011
【図１０】
2006284236.tif 000012
【図１１】
2006284236.tif 000013
【図１２】
2006284236.tif 000014
【図１３】
2006284236.tif 000015
【図１４】
2006284236.tif 000016
【図１５】
2006284236.tif 000017